(57)【要約】【課題】固定力の大きい耐震固定具でありながら、プリンタや平面テレビやＰＣなどの表示装置や家具などの什器を移動したり撤去したりするときに、使用されている接着部材を用いた耐震固定具を取り外す際に簡単に剥離できる耐震固定具を提供する。【解決手段】地震に伴う揺れによる什器の転倒を防止する耐震固定具であって、該耐震固定具を回動により剥離する際の回動中心となる幾何学的中心部から所定の距離を置いて互いに分離された複数の接着面を備える。【選択図】図１
2017217151.tif 000002
【特許請求の範囲】
【請求項１】
地震に伴う揺れによる什器の転倒を防止する耐震固定具であって、該耐震固定具を回動により剥離する際の回動中心となる幾何学的中心部から所定の距離を置いて互いに分離された複数の接着面を備えることを特徴とする耐震固定具。
【請求項２】
前記耐震固定具の幾何学的中心部を回動の中心とする駆動用部材を備えることを特徴とする請求項１に記載の耐震固定具。
【請求項３】
前記耐震固定具が所定回動角度で回動されると前記複数の接着部材の一つが別の接着部材と重なるように前記耐震固定具の幾何学的中心の周りに前記複数の接着部材が配列されていることを特徴とする請求項１又は２に記載の耐震固定具。
【発明の詳細な説明】
【技術分野】
【０００１】
本発明は、机上などの固定面に据え置かれたプリンタ、平面テレビ、パーナルコンピュ
ータ（ＰＣ）の表示装置及び家具などの什器の転倒を防止するために、これらの装置や什器の側面又は表面と壁面や載置面などの固定面との双方を接着部材で固定した耐震固定具で接続することで耐震性を持たせる耐震固定具に関する。
【背景技術】
【０００２】
従来、平面テレビやＰＣの表示装置及び家具などの什器の地震などによる転倒を防止するために種々の耐震固定具が提案されている。例えば従来の耐震固定具はネジや金具などで固定面に固定された耐震固定具と、プリンタや平面テレビやＰＣの表示装置の側面或は表面に固定された耐震固定具とを接続することで耐震性を得ている。最近は耐震固定具の固定方法として接着材の機能向上に伴い、ネジや金具の代わりに接着部材を用いる場合が増えている（特許文献１を参照）。
【０００３】
しかるに最近は大きな地震が頻発しており、耐震固定具の固定力を上げるために接着部材で固定される耐震固定具の接着面積を増やすことが求められることが多い。しかし、大面積の接着面積を有する両面テープなどの接着部材は剥がすために大きな力が必要となる。
【０００４】
プリンタや平面テレビやＰＣ  の表示装置や家具などの什器を移動したり、撤去したりする時には、固定面に固定された耐震固定具或は装置の側面或は裏面に固定された耐震固定具を取り外す必要が生じる。ところが、大面積の接着部材は接着が大きいために剥離が困難になる場合が多い。そこで、従来これらの固定面や什器の表面に貼り付けられた接着耐震固定具を剥がすために専用の工具などが使用される。例えば専用の工具の先端に剥離爪を設け、剥離爪の先端部を接着耐震固定具に引っ掻けて強引に引っ張り剥がす方法が提案されている（特許文献２を参照）。
【先行技術文献】
【特許文献】
【０００５】
【特許文献１】特開２０１６−９７２４３
【特許文献２】特開２００４−１９７６
【発明の概要】
【発明が解決しようとする課題】
【０００６】
しかしながら、従来の接着耐震固定具の剥離工具では、剥離爪の先端部を接着耐震固定具に引っ掻けて引っ張って剥離するため、接着部材を力ずくで固定面から剥がすことになり剥がすための大きな力を必要とした。また、接着部材を剥がす際に、壁や天板などの固定面の一部が接着部材とともに剥がれ、固定面を破損することがあった。また、固定面に接着部材の付着物が残り固定面を汚したり、固定面の付着物による凹凸が発生して別の耐震固定具の設置が出来なくなる問題点があった。
【０００７】
この発明の目的は、上述した事情に鑑みなされたもので、この発明の主たる目的は、固定力の大きい耐震固定具でありながら、プリンタや平面テレビやＰＣなどの表示装置や家具などの什器を移動したり撤去したりするときに、使用されている接着部材を用いた耐震固定具を取り外す際に簡単に剥離できる耐震固定具を提供することにある。
【課題を解決するための手段】
【０００８】
本発明の耐震固定具は、地震に伴う揺れによる什器の転倒を防止する耐震固定具であって、該耐震固定具を回動により剥離する際の回動中心となる幾何学的中心部から所定の距離を置いて互いに分離された複数の接着面を備えることを特徴とする。
【０００９】
同一面積の接着面を構成する際に、連続した一枚の接着部材でなく分割された接着部材が回動中心から所定の距離を置いて配置されているので、接着部材の回動中心からの距離が大きくなり、回動による剥離が容易になる。
【００１０】
本発明の耐震固定具は、前記耐震固定具の幾何学的中心を回動の中心とする駆動用部材を備えることを特徴とする。
【００１１】
耐震固定具を接着面に対して直角方向へ動かして接着部材を剥離することは難しいが、接着面に平行に、特に回転させることで比較的容易に接着部材を剥離することができる。その際、回動中心となる駆動用部材が耐震固定具の幾何学的中心部に備えられているのでバランス良く回動することができて接着部材の剥離が容易になる。
【００１２】
本発明の耐震固定具は、耐震固定具が所定回動角度で回動されると複数の接着面の一つが別の接着面と重なるように前記耐震固定具の幾何学的中心の周りに複数の接着部材が配列されていることを特徴とする。
【００１３】
接着部材が重なることは、接着面を形成するために同一形状の接着部材を用いることを意味しており、耐震固定具の製造が容易になる。
【図面の簡単な説明】
【００１４】
【図１】２つの接着面を有する一組の耐震固定具の説明図である。
【図２】耐震固定具の断面図である。
【図３】回動による剥離の様子を示す説明図である。
【図４】接着部材の配置例の説明図である。
【発明を実施するための形態】
【００１５】
以下、本発明の実施形態を図面に基づいて説明する。本実施形態の耐震固定具１は、一つを固定面へ接着し、もう一つを家具などの固定面や天板へ接着する。そして二つの耐震固定具の間をベルトで結ぶことで、地震などの揺れにより家具などが倒れることを防止する。
【００１６】
ここで、大型の什器の耐震化を図るには、強い接着力を持つ耐震固定具が必要になる。什器の大型化に伴い要求される接着力も大きくなるので、耐震固定具の接着面の面積を十分大きくする必要がある。
【００１７】
ところが接着面積を増やすと接着部材を固定面などから剥がすことが難しくなるが、耐震固定具を回動させると比較的容易に接着部材の剥離が行えることが分かった。図１の耐震固定具のベルトを通す部材が幾何学的な中心部になるのでベルトを通す部材が回動中心となる。回動による接着部材の剥離を容易に行うには接着部材を回動中心からなるべく離して置くことにより回動に伴う円周方向の移動距離が大きくなるので有利である。そこで、ここでは接着部材を２つに分けて回動中心から所定の距離を取って配置している。
【００１８】
図２に本実施形態の耐震固定具の断面図を示す。この耐震固定具は第一接着部材２、第二接着部材３の二つの接着面を有しており第一接着部材２及び第二接着部材３は所定の距離を取って互いに分離されている。ここで接着面は２つ以上の複数個であれば任意である。このように複数の接着部材を所定の距離離して用いることで大きな固定力を得ることができるとともに、回動による剥離が容易になる。
【００１９】
図２に示す耐震固定具の中央部には、ベルトを通すブリッジ部４が設けられておりこれが後述する耐震固定具を回動させる回動用の部材となる。ブリッジ部４は図１の耐震固定具の幾何学的中心部に位置し回動の駆動用部材となる。
【００２０】
ブリッジ部４には、地震の揺れや接着面を剥離する際に大きな力が加わるので、補強用の第一リブ５，第二リブ６がブリッジ部と耐震固定具の本体との間に設けられている。
【００２１】
次に接着面の剥離について図３を用いて説明する。図３の固定具１のブリッジ部４に挿入されているのは、耐震固定具を回動させる回動治具１０である。この回動治具１０を耐震固定具のブリッジ部４へ図３に示すように差し込んで、回動させると、耐震固定具の幾何学的中心となるブリッジ部の中央部を回動中心として耐震固定具が回動する。回動に伴い、接着面には剪断力が加わり剥離が起こる。ブリッジ部４は耐震固定具を結ぶベルトを掛ける部材であるが、同時に回動治具１０により耐震固定具を駆動するための駆動用部材として機能する。
【００２２】
次に図４を用いて、接着部材の配置について説明する。耐震固定具を回動により剥離する際に耐震固定具の回動に伴って接着面に加わる力は一様ではない。回動角θ、回動半径Ｒ，円周方向の移動距離Ｌとすると、Ｌ＝θ×Ｒとなるので、回動中心から離れるほど回動に伴う移動距離が増える。従って、回動半径を大きく取るほど回動に伴う剥離が起こり易くなる。
【００２３】
従って、図４（Ａ）の回動中心５０から所定の距離ｒだけ離して配置された４つの接着部材５１，５２，５３，５４は、４つの接着部材が一枚の接着部材として接着面を構成しているときに比べて回動に伴う剥離が起こり易くなる。
【００２４】
同様に、図４（Ｂ）の回動中心６０から所定の距離ｒだけ離して配置された３つの接着部材６１，６２，６３は、３つの接着部材が接続されて接着面を構成しているときに比べて回動に伴う剥離が起こり易くなる。
【００２５】
接着部材の形状は、例えば図４に示すように耐震固定具の幾何学的な回動中心の周りに所定回動角度を回動させると一つの接着部材がもう一つの接着部材に重なり合う接着部材の配列が好ましい。このように複数の接着部材に同一の接着形状を採用することで作製が容易になり市販の安価な接着部材を使いながら大面積の接着面を形成することができるからである。なお、本発明は、一つのL字型の耐震部材でL字の二つの面の片方を壁などの固定面へ、もう片方を什器の天板や側面へ接着する場合も含むことは勿論である。
【符号の説明】
【００２６】
１  耐震固定具
２  第一接着部材
３  第二接着部材
４  ブリッジ部
５  第一リブ
６  第二リブ
１０  回動治具
５０  幾何学的中心部（回動中心）
５１，５２，５３，５４  正方形接着部材
６０  幾何学的中心部（回動中心）
６１，６２，６３  円形接着部材
【図１】
2017217151.tif 000003
【図２】
2017217151.tif 000004
【図３】
2017217151.tif 000005
【図４】
2017217151.tif 000006